(57)【要約】本発明は、マウス・ピースを符号化した３Ｄプリンタ可読ファイルを３Ｄ印刷することによってマウス・ピースを製造するシステムおよび方法に関し、この方法は、３次元（３Ｄ）スキャナ手段を使用して、ユーザの歯および歯肉線を表す物理的データを含むスキャン・ファイルを入手するステップ（１００）と、スキャン・ファイル内の物理的データから外れ値データを除去するステップと、物理的データから、ユーザの歯および歯肉線の曲率の代表的幾何形状データを生成するステップと、物理的データおよび代表的幾何形状データから、マウス・ピースを表す仮想ベース・モデルを生成するステップ（１０１）であって、仮想ベース・モデルは、カスタマイズ可能な寸法を有する、生成するステップと、  仮想ベース・モデルによって表されるマウス・ピースから選択された部位を除去するステップ（１０２）と、仮想ベース・モデルから、３Ｄ印刷手段での印刷のためにマウス・ピースを符号化した３Ｄプリンタ可読ファイルを生成するステップ（１０３）とを含む。本発明は、必要に応じてマウス・ピースをカスタマイズする能力をオペレータに提供するユーザ・インターフェース手段を伴って適合されたコンピュータ実施された開発環境を提供する。【選択図】図１
2020531960.tif 000002
【特許請求の範囲】
【請求項１】
マウス・ピースを符号化した３Ｄプリンタ可読ファイルを３Ｄ印刷することによって前記マウス・ピースを製造する方法であって、
３次元（３Ｄ）スキャナ手段を使用して、ユーザの歯および歯肉線を表す物理的データを含むスキャン・ファイルを入手するステップと、
前記スキャン・ファイル内の物理的データから外れ値データを除去するステップと、
前記物理的データから、前記ユーザの歯および歯肉線の曲率の代表的幾何形状データを生成するステップと、
前記物理的データおよび前記代表的幾何形状データから、マウス・ピースを表す仮想ベース・モデルを生成するステップであって、前記仮想ベース・モデルは、カスタマイズ可能な寸法を有する、生成するステップと、
前記仮想ベース・モデルによって表される前記マウス・ピースから選択された部位を除去するステップと、
前記仮想ベース・モデルから、３Ｄ印刷手段での印刷のために前記マウス・ピースを符号化した前記３Ｄプリンタ可読ファイルを生成するステップと
を含む方法。
【請求項２】
前記代表的幾何形状データは、滑らかさの所定のレベルに従って自動的に生成され、またはオペレータによって選択された滑らかさのレベルに従って生成される、請求項１に記載のマウス・ピースを製造する方法。
【請求項３】
前記仮想ベース・モデル内に周辺デバイス・アタッチメント・データを組み込むさらなるステップを含み、前記周辺デバイス・アタッチメント・データは、３Ｄ印刷された時に前記マウス・ピースに周辺デバイスを取り付けるためのレシーバまたは接続手段を表す、請求項１または請求項２に記載のマウス・ピースを製造する方法。
【請求項４】
前記仮想ベース・モデル内の前記マウス・ピースは、小帯部、口蓋部、後方歯部、ならびに上歯肉線部および／または下歯肉線部を含む１つまたは複数の部位を有する、請求項１から請求項３のいずれか１項に記載のマウス・ピースを製造する方法。
【請求項５】
前記仮想ベース・モデル内の前記マウス・ピースから、小帯部、口蓋部、後方歯部、上歯肉線部および／または下歯肉線部、ならびに鋭い縁の内の１つもしくは複数または一部を選択的に除去するステップを含む、請求項１から請求項４のいずれか１項に記載のマウス・ピースを製造する方法。
【請求項６】
前記仮想ベース・モデル内の前記マウス・ピースから部位を選択的に除去するステップは、ユーザ・インターフェース手段を介する除去のためにオペレータが手動で部位を選択することによって実行される、請求項１から請求項５のいずれか１項に記載のマウス・ピースを製造する方法。
【請求項７】
前記仮想ベース・モデル内の前記マウス・ピースから１つまたは複数の歯部位を除去するステップは、自動的に実行される、請求項１から請求項６のいずれか１項に記載のマウス・ピースを製造する方法。
【請求項８】
前記仮想ベース・モデル内の前記マウス・ピースの壁の厚さを変更するステップを含む、請求項１から請求項７のいずれか１項に記載のマウス・ピースを製造する方法。
【請求項９】
前記仮想ベース・モデル内の前記マウス・ピースの鋭い縁を軟化させるステップを含む、請求項１から請求項８のいずれか１項に記載のマウス・ピースを製造する方法。
【請求項１０】
前記仮想ベース・モデルから前記口蓋部の上内壁のセクションを除去するステップを含む、請求項１から請求項９のいずれか１項に記載のマウス・ピースを製造する方法。
【請求項１１】
前記仮想ベース・モデルから除去される前記口蓋部の前記上内壁の寸法は、前記スキャン・ファイル内の前記ユーザの歯および歯肉線の物理的データに従って計算される、請求項１０に記載のマウス・ピースを製造する方法。
【請求項１２】
前記仮想ベース・モデル内の前記マウス・ピースのすべての縁の位置を追跡し、前記縁を軟化させるステップを含む、請求項１から請求項１１のいずれか１項に記載のマウス・ピースを製造する方法。
【請求項１３】
前記マウス・ピースを提供するために３Ｄプリンタ上で前記３Ｄプリンタ可読ファイルを印刷するステップを含む、請求項１から請求項１２のいずれか１項に記載のマウス・ピースを製造する方法。
【請求項１４】
前記マウス・ピースの３Ｄ印刷中または３Ｄ印刷後に内部デバイスを組み込むステップを含む、請求項１から請求項１３のいずれか１項に記載のマウス・ピースを製造する方法。
【請求項１５】
前記内部デバイスを表すデータを生成し、内部デバイスが前記マウス・ピースの３Ｄ印刷中または３Ｄ印刷後にその中に配置される隙間を前記仮想ベース・モデル内に作成するステップを含む、請求項１から請求項１４のいずれか１項に記載のマウス・ピースを製造する方法。
【請求項１６】
前記スキャン・ファイルは、前記ユーザの歯および歯肉線の１つまたは写真を使用して生成される、請求項１から請求項１５のいずれか１項に記載のマウス・ピースを製造する方法。
【請求項１７】
ユーザによって操作された時に除去の前後の前記仮想ベース・モデル内の前記歯および歯肉線の部位のグラフィカル表現を示すスライダまたは値シフタとして提供されるユーザ・インターフェースを操作することによって、前記歯および歯肉線の前記部位を選択的に除去するステップを含む、請求項１から請求項１６のいずれか１項に記載のマウス・ピースを製造する方法。
【請求項１８】
ユーザ・インターフェース内に、前記仮想ベース・モデル内で表される前記マウス・ピースを表示するステップであって、前記ユーザ・インターフェースは、前記仮想ベース・モデル内の前記マウス・ピースの滑らかさ、厚さ、スケール、位置決め、および所望の寸法の視覚的表示を示し、それらを調整するように適合された調整可能な値スライダまたは値シフタを有する、表示するステップを含む、請求項１から請求項１７のいずれか１項に記載のマウス・ピースを製造する方法。
【請求項１９】
前記仮想ベース・モデル内の前記マウス・ピースの所望の厚さ、スケール位置決め、および所望の寸法を達成するために前記仮想ベース・モデルを処理するためのルールまたはセッティングの収集されたセットをエクスポートするステップを含む、請求項１から請求項１８のいずれか１項に記載のマウス・ピースを製造する方法。
【請求項２０】
幾何形状データ、位置決めデータ、滑らかにする厚さ、スケール、所望の寸法、および前記マウス・ピースのうちで追加されまたは除去される部分を表すデータに従って各マウス・ピースを生成するためのルールのセットを記憶することによって、グラフィカル・ユーザ・インターフェースからエクスポートされたモデル固有セッティング・ファイルに従ってグループ内で複数の仮想ベース・モデルをバッチ処理するステップを含む、請求項１から請求項１９のいずれか１項に記載のマウス・ピースを製造する方法。
【請求項２１】
前記スキャン・ファイル内の歯および歯肉線が、Ｘ、Ｙ、Ｚ座標系に対して相対的に一貫して位置決めされ、正しい方向を指しているように、前記Ｘ、Ｙ、Ｚ座標系の原点または基準点に従って前記スキャン・ファイル内に示された前記歯および歯肉線を自動的に整列させ、位置決めするステップを含む、請求項１から請求項２０のいずれか１項に記載のマウス・ピースを製造する方法。
【請求項２２】
グラフィカル・ユーザ・インターフェースを使用して、前記スキャン・ファイルの歯および歯肉線を手動で整列させるステップであって、前記スキャン・ファイル内の前記歯および歯肉線上の３つ以上の点は、選択され、前記スキャン・ファイル内の前記歯および歯肉線を所望の方向に正しく方位付けるために３つ以上のプリセット点と整列するように構成される、整列させるステップを含む、請求項１から請求項２１のいずれか１項に記載のマウス・ピースを製造する方法。
【請求項２３】
前記仮想ベース・モデル内の前記マウス・ピースのすべてのオーバーハングする部分または所望の部分を自動的に除去するステップのステップを含む、請求項１から請求項２２のいずれか１項に記載のマウス・ピースを製造する方法。
【請求項２４】
印刷されたマウス・ピース上の相互接続された片を回避するために、隣接するまたは欠けている歯または区域の間のギャップを充填する形状を生成するのに幾何形状データを使用するステップを含む、請求項１から請求項２３のいずれか１項に記載のマウス・ピースを製造する方法。
【請求項２５】
その中に電子デバイスまたは他のデバイスなどの１つまたはデバイスを収容するための前記仮想ベース・モデル内の内部隙間を作成するステップを含む、請求項１から請求項２４のいずれか１項に記載のマウス・ピースを製造する方法。
【請求項２６】
前記デバイスが前記３Ｄ印刷プロセス中または前記３Ｄ印刷プロセス後にその中に配置される、前記仮想ベース・モデル内の前記内部隙間を作成するのに前記デバイスの寸法を表すデータを使用するステップを含む、請求項２５に記載のマウス・ピースを製造する方法。
【請求項２７】
前記仮想ベース・モデル内に切欠を作成することまたは前記仮想ベース・モデルにカラー・マッピングされたテクスチャを適用することのいずれかによって、前記マウス・ピースの表面に記号、レタリング、数字、画像、またはロゴを追加するステップを含む、請求項１から請求項２６のいずれか１項に記載のマウス・ピースを製造する方法。
【請求項２８】
ユーザの歯に着用された歯列矯正ブレースの存在を伴うまたは伴わない印刷されたマウス・ピースのフィッティングまたは除去を容易にするために、前記仮想ベース・モデル内の前記マウス・ピースの外側表面内に１つまたは複数のリリーフ・カットおよび／または隙間を作成するステップを含む、請求項１から請求項２７のいずれか１項に記載のマウス・ピースを製造する方法。
【請求項２９】
１つまたは複数のプロセッサによって実行された時に、前記１つまたは複数のプロセッサに、請求項１から請求項２８のいずれか１項に記載のステップを実行させる命令を含む非一時的機械可読媒体。
【請求項３０】
マウス・ピースを符号化した３Ｄプリンタ可読ファイルを３Ｄ印刷することによって前記マウス・ピースを製造するシステムであって、
３次元（３Ｄ）スキャナ手段を使用して、ユーザの歯および歯肉線を表す物理的データを含むスキャン・ファイルを入手するための手段と、
前記スキャン・ファイル内の物理的データから外れ値データを除去するための手段と、
前記物理的データから、前記ユーザの歯および歯肉線の曲率の代表的幾何形状データを生成するための手段と、
前記物理的データおよび前記代表的幾何形状データから、マウス・ピースを表す仮想ベース・モデルを生成するための手段であって、前記仮想ベース・モデルは、カスタマイズ可能な寸法を有する、生成するための手段と、
前記仮想ベース・モデルによって表される前記マウス・ピースから選択された部位を除去するための手段と、
前記仮想ベース・モデルから、前記マウス・ピースを符号化した前記３Ｄプリンタ可読ファイルを生成するための手段および前記３Ｄプリンタ可読ファイルを印刷するための３Ｄ印刷手段と
を含むシステム。
【請求項３１】
前記代表的幾何形状データは、滑らかさの所定のレベルに従って自動的に生成され、またはオペレータによって選択された滑らかさのレベルに従って生成される、請求項３０に記載の保護マウス・ピースを製造するシステム。
【請求項３２】
前記仮想ベース・モデル内に周辺デバイス・アタッチメント・データを組み込むためのさらなる手段を含み、前記周辺デバイス・アタッチメント・データは、３Ｄ印刷された時に前記マウス・ピースに周辺デバイスを取り付けるためのレシーバまたは接続手段を表す、請求項３０または請求項３１に記載のマウス・ピースを製造するシステム。
【請求項３３】
前記仮想ベース・モデル内の前記マウス・ピースは、小帯部、口蓋部、後方歯部、ならびに上歯肉線部および／または下歯肉線部を含む１つまたは複数の部位を有し、前記システムは、小帯部、口蓋部、後方歯部、上歯肉線部および／または下歯肉線部、ならびに鋭い縁のうちの１つもしくは複数または一部を前記仮想ベース・モデル内の前記マウス・ピースから選択的に除去するための手段を含む、請求項３０から請求項３２のいずれか１項に記載のマウス・ピースを製造するシステム。
【請求項３４】
前記仮想ベース・モデル内の前記マウス・ピースからの部位の選択的な除去は、自動的にまたはユーザ・インターフェース手段を介する除去のためにオペレータが手動で部位を選択することによって実行される、請求項３３に記載のマウス・ピースを製造するシステム。
【請求項３５】
前記仮想ベース・モデル内の前記マウス・ピースの壁の厚さを変更するための手段、前記仮想ベース・モデル内の前記マウス・ピースの鋭い縁を軟化させるための手段、および／または前記仮想ベース・モデルから前記口蓋部の上内壁のセクションを除去するための手段を含む、請求項３０から請求項３４のいずれか１項に記載のマウス・ピースを製造するシステム。
【請求項３６】
前記仮想ベース・モデルから除去される前記口蓋部の前記上内壁の寸法を、前記スキャン・ファイル内の前記ユーザの歯および歯肉線の物理的データに従って計算するための手段を含む、請求項３０から請求項３５のいずれか１項に記載のマウス・ピースを製造するシステム。
【請求項３７】
前記仮想ベース・モデル内の前記マウス・ピースのすべての縁の位置を追跡し、前記縁を軟化させるための手段を含む、請求項３０から請求項３６のいずれか１項に記載のマウス・ピースを製造するシステム。
【請求項３８】
前記マウス・ピースを提供するために３Ｄプリンタ上で前記３Ｄプリンタ可読ファイルを印刷するための手段を含む、請求項３０から請求項３７のいずれか１項に記載のマウス・ピースを製造するシステム。
【請求項３９】
前記マウス・ピースの３Ｄ印刷中または３Ｄ印刷後に内部デバイスを組み込むための手段を含む、請求項３０から請求項３８のいずれか１項に記載のマウス・ピースを製造するシステム。
【請求項４０】
前記内部デバイスを表すデータを生成し、前記内部デバイスが３Ｄ印刷前、３Ｄ印刷後、または３Ｄ印刷中にその中に配置され得る隙間を前記仮想ベース・モデル内に作成するための手段を含む、請求項３０から請求項３９のいずれか１項に記載のマウス・ピースを製造するシステム。
【請求項４１】
前記スキャン・ファイルを前記ユーザの歯および歯肉線の１つまたは写真を使用して生成するための手段を含む、請求項３０から請求項４０のいずれか１項に記載のマウス・ピースを製造するシステム。
【請求項４２】
前記仮想ベース・モデル内の前記歯および歯肉線から部位を選択的に除去するためのユーザ・インターフェース手段を含み、前記ユーザ・インターフェース手段は、ユーザによって操作された時に除去の前後の前記歯および歯肉線の前記部位のグラフィカル表現を示すスライダまたは値シフタとして提供される、請求項３０から請求項４１のいずれか１項に記載のマウス・ピースを製造するシステム。
【請求項４３】
前記仮想ベース・モデル内で表される前記マウス・ピースを表示するためのユーザ・インターフェース手段を含み、前記ユーザ・インターフェースは、前記仮想ベース・モデル内の前記マウス・ピースの滑らかさ、厚さ、スケール、位置決め、および所望の寸法の視覚的表示を示し、それらを調整するように適合された調整可能な値スライダまたは値シフタを有する、請求項３０から請求項４２のいずれか１項に記載のマウス・ピースを製造するシステム。
【請求項４４】
前記仮想ベース・モデル内の前記マウス・ピースの所望の厚さ、スケール位置決め、および所望の寸法を達成するために前記仮想ベース・モデルを処理するためのルールまたはセッティングの収集されたセットをエクスポートするための手段を含む、請求項３０から請求項４３のいずれか１項に記載のマウス・ピースを製造するシステム。
【請求項４５】
幾何形状データ、位置決めデータ、滑らかにする厚さ、スケール、所望の寸法、および前記マウス・ピースのうちで追加されまたは除去される部分を表すデータに従って各マウス・ピースを生成するためのルールのセットを記憶することによって、グラフィカル・ユーザ・インターフェースからエクスポートされたモデル固有セッティング・ファイルに従ってグループ内で複数の仮想ベース・モデルをバッチ処理するための手段を含む、請求項３０から請求項４４のいずれか１項に記載のマウス・ピースを製造するシステム。
【請求項４６】
前記スキャン・ファイル内の歯および歯肉線が、Ｘ、Ｙ、Ｚ座標系に対して相対的に一貫して位置決めされ、正しい方向を指しているように、前記Ｘ、Ｙ、Ｚ座標系の原点または基準点に従って前記スキャン・ファイル内に示された前記歯および歯肉線を自動的に整列させ、位置決めするための手段を含む、請求項３０から請求項４５のいずれか１項に記載のマウス・ピースを製造するシステム。
【請求項４７】
グラフィカル・ユーザ・インターフェースを使用して、前記スキャン・ファイルの歯および歯肉線を手動で整列させるための手段であって、前記スキャン・ファイル内の前記歯および歯肉線上の３つ以上の点は、選択され、前記スキャン・ファイル内の前記歯および歯肉線を所望の方向に正しく方位付けるために３つ以上のプリセット点と整列するように構成される、整列させるための手段を含む、請求項３０から請求項４６のいずれか１項に記載のマウス・ピースを製造するシステム。
【請求項４８】
前記仮想ベース・モデル内の前記マウス・ピースのすべてのオーバーハングする部分または所望の部分を自動的に除去するための手段を含む、請求項３０から請求項４７のいずれか１項に記載のマウス・ピースを製造するシステム。
【請求項４９】
印刷されたマウス・ピース上の相互接続された片を回避するために、隣接するまたは欠けている歯または区域の間のギャップを充填する形状を生成するのに幾何形状データを使用するための手段を含む、請求項３０から請求項４８のいずれか１項に記載のマウス・ピースを製造するシステム。
【請求項５０】
その中に電子デバイスまたは他のデバイスなどの１つまたはデバイスを収容するための前記仮想ベース・モデル内の内部隙間を作成するための手段を含む、請求項３０から請求項４９のいずれか１項に記載のマウス・ピースを製造するシステム。
【請求項５１】
前記デバイスが前記３Ｄ印刷プロセス中または前記３Ｄ印刷プロセス後にその中に配置される、前記仮想ベース・モデル内の前記内部隙間を作成するのに前記デバイスの寸法を表すデータを使用するための手段を含む、請求項３０から請求項５０のいずれか１項に記載のマウス・ピースを製造するシステム。
【請求項５２】
前記仮想ベース・モデル内に切欠を作成することまたは前記仮想ベース・モデルにカラー・マッピングされたテクスチャを適用することのいずれかによって、前記マウス・ピースの表面に記号、レタリング、数字、画像、またはロゴを追加するための手段を含む、請求項３０から請求項５１のいずれか１項に記載のマウス・ピースを製造するシステム。
【請求項５３】
ユーザの歯に着用された歯列矯正ブレースの存在を伴うまたは伴わない印刷されたマウス・ピースのフィッティングまたは除去を容易にするために、前記仮想ベース・モデル内の前記マウス・ピースの外側表面内に１つまたは複数のリリーフ・カットおよび／または隙間を作成するための手段を含む、請求項３０から請求項５２のいずれか１項に記載のマウス・ピースを製造するシステム。
【請求項５４】
実質的に、添付図面および／または例を参照して本明細書で説明され図示された通りにマウス・ピースを符号化した３Ｄプリンタ可読ファイルを３Ｄ印刷することによってマウス・ピースを製造する方法。
【請求項５５】
実質的に、添付図面および／または例を参照して本明細書で説明され図示された通りにマウス・ピースを符号化した３Ｄプリンタ可読ファイルを３Ｄ印刷することによってマウス・ピースを製造するシステム。
【発明の詳細な説明】
【技術分野】
【０００１】
本発明は、保護ガム・シールド、マウス・ガード、またはユーザの口内に着用される保護デバイスなどのマウス・ピースを製造するシステムおよび方法を提供する。
【０００２】
保護ガム・シールドまたはマウス・ガードとも称するマウス・ピースは、しばしばインパクト・スポーツ（ｉｍｐａｃｔ  ｓｐｏｒｔｓ）に関連する、弓、歯、唇、歯肉線への衝撃傷害の可能性を下げるために個人的保護を提供する、口の内部にフィットするデバイスである。他の用途は、補正アライメント、歯ぎしりの治療、外科的手技中の動きの軽減または補償をも提供する保護マウス・ピース、睡眠時無呼吸および顎関節機能不全を監視するためのアスリート・パフォーマンス・マーカー（ａｔｈｌｅｔｅ  ｐｅｒｆｏｒｍａｎｃｅ  ｍａｒｋｅｒ）（体温、心拍数、震盪、ラクトース・レベル、水和物など）を監視する口腔内デバイスをも含む。
【０００３】
既製のマウス・ガード、ボイル・アンド・バイト（ｂｏｉｌ  ａｎｄ  ｂｉｔｅ）、真空成形、加圧積層、印象、手動３次元（３Ｄ）モデリング、および３Ｄ印刷された押込み金型を含む、マウス・ピースおよびガム・シールドを作る複数の方法がある。
【０００４】
在庫のまたは既製のマウス・ピースおよびガム・シールドを用いて、デバイスは、様々なサイズであるがユーザの口にフィットさせるための調整をほぼ伴わずに、事前に形成された形状で製造される。唯一の可能な調整は、ナイフまたははさみを用いる些細なトリミングである。この手法は、歯に対する保護をほとんど提供せず、歯肉線への保護を全く提供しないデバイスをもたらす。このデバイスは、体に合わないので、ユーザが着用するには極端に不快でもある。
【０００５】
「ボイル・アンド・バイト」法は、個人の歯および歯肉線によりよくフィットするように適合された、様々なサイズの事前に形成された形状で製造される熱可塑性材料を含む。この方法は、水中で煮沸することによるなど、事前に形成され成形された熱可塑性プラスチックを過熱し、鋳造することと、その後、着用者の口に配置する前に事前に形成された形状に一時的に冷却させることを含む。そのようなデバイスは、保持力を高め、伝統的な「ボイル・アンド・バイト」マウス・タイプを超える改善されたフィットを与える、フィッティング・ゾーン内のフィンを組み込むことができる。そのようなデバイスは、通常、一般にＥＶＡと称するエチレンビニル・アセテートから作られる。より新しい技術の一部は、熱湯によるやけどを回避する、１４０Ｆ未満のより低い鋳造温度を可能にする、代替のより強いサーモポリマ（ｔｈｅｒｍｏ−ｐｏｌｙｍｅｒ）を提供する。「ボイル・アンド・バイト」デバイスは、アマチュアおよびセミプロのスポーツ選手によって使用される最も人気のあるガム・シールド・タイプであり、既製のガム・シールドより多くの保護を提供するが、それでも、特注のマウス・ピースまたはガム・シールドと比較して、相対的に低い保護、快適さ、およびフィットを提供する。
【０００６】
特注のマウス・ピースおよびガム・シールドは、ユーザの歯の印象をとることと、その後、その印象が専門の製造業者によって、最もよくフィットするマウス・プロテクタを製作するのに使用されることとを必要とする。印象は、歯科用パテを使用する特別に設計された印象キットを使用することによって、または歯科アルギン酸材料で印象をとる歯科医から、入手することができる。結果の印象は、ラボに送られ、このラボが、印象からデバイスを作る。マウス・ピースおよびガム・シールドは、その後、真空形成、加圧積層、または３Ｄスキャン技法を使用して作られ得る。
【０００７】
特注のマウス・ピースおよびガム・シールドは、真空成形機を使用して製造され、単一層デバイスを作る。フィットは、加圧積層ほどによくはないが、ボイル・アンド・バイトよりよい保護を提供する。特注のマウス・ピースおよびガム・シールドは、遅く、高コストで、労力集中型のプロセスである。加圧積層特注ガム・シールドは、優れたフィット、快適性、および最大の保護を提供する多重層のデバイスを作る。やはり、これは、遅く、高コストで、労力集中型のプロセスである。
【０００８】
歯科アルギン酸を使用して押し込み金型を作成するのではなく、３Ｄスキャナを使用して、ユーザのデンタル・プロファイル（ｄｅｎｔａｌ  ｐｒｏｆｉｌｅ）を取り込むこともできる。人のデンタル・プロファイルはその後、ハイ・エンド３Ｄ印刷デバイスを介して作られる。その後、このデンタル・プロファイルを使用して、加圧積層法または真空成形法を介してカスタム・マウス・ピースまたはカスタム・ガム・シールドを作ることができる。このスキャン・データを使用して、コンピュータ支援設計ソフトウェアを使用してデバイスを手動で設計することもできるが、これは極端に時間集中型であり、３Ｄ印刷法を介して使用できる入手可能な３Ｄプラスチック・フィラメントは、市場にはない。
【０００９】
本発明は、上記の問題を軽減し、または有用な代替案を公衆または産業に提供する、３Ｄ印刷を使用してマウス・ピースまたは保護ガム・シールドを製造するシステムおよび方法を提供する。
【００１０】
したがって、マウス・ピースを符号化した３Ｄプリンタ可読ファイルを３Ｄ印刷することによってマウス・ピースを製造する方法であって、
３次元（３Ｄ）スキャナ手段を使用して、ユーザの歯および歯肉線を表す物理的データを含むスキャン・ファイルを入手するステップと、
スキャン・ファイル内の物理的データから外れ値データを除去するステップと、
物理的データから、ユーザの歯および歯肉線の曲率の代表的幾何形状データを生成するステップと、
物理的データおよび代表的幾何形状データから、マウス・ピースを表す仮想ベース・モデルを生成するステップであって、仮想ベース・モデルは、カスタマイズ可能な寸法を有する、生成するステップと、
仮想ベース・モデルによって表されるマウス・ピースから選択された部位を除去するステップと、
仮想ベース・モデルから、３Ｄ印刷手段での印刷のためにマウス・ピースを符号化した３Ｄプリンタ可読ファイルを生成するステップと
を含む方法が提供される。
【００１１】
本発明は、必要に応じてマウス・ピースをカスタマイズする能力をオペレータに提供するユーザ・インターフェース手段を伴って適合されたコンピュータ実施された開発環境で、上歯および／または下歯のマウス・ピースまたはガム・シールドを製造する方法を提供する。３Ｄスキャンされたデンタル・データを入力として使用して、自動化されたコンピュータ・ソフトウェア対応プロセスが、カスタマイズ可能なデジタルの３次元（３Ｄ）モデルを生成し、インターフェースの特定の区域を選択的に除去して、スポーツ応用例および医療応用例のある範囲で、個人に調整されたデバイスを作成する。その後、ソフトウェア・プロセスは、３Ｄプリンタを使用するデジタル製造の準備ができたファイルを出力する。
【００１２】
代替案では、スキャン・ファイルは、ユーザの歯および歯肉線の１つまたは複数の写真を使用して生成される。
【００１３】
仮想ベース・モデル内で歯および歯肉線の部位を選択的に除去するステップは、ユーザによって操作された時に、マウス・ピースを生成する時に除外される部位のグラフィカル表現を示すスライダまたは値シフタとして提供されるユーザ・インターフェースによって実行され得る。
【００１４】
好ましくは、この方法は、ユーザ・インターフェース内に、仮想ベース・モデル内で表されるマウス・ピースを表示するステップであって、ユーザ・インターフェースは、マウス・ピースの滑らかさ、厚さ、スケール、位置決め、および所望の寸法の視覚的表示を示し、それらを調整するように適合された調整可能な値スライダまたは値シフタを有する、表示するステップを含む。
【００１５】
好ましくは、この方法は、仮想ベース・モデル内の外れ値データの概要を示すためにグラフィカル・ユーザ・インターフェースによって提供されるスライダを操作するステップを含む。
【００１６】
好ましくは、代表的幾何形状データは、滑らかさ、厚さスケール位置決め、および所望の寸法の所定のレベルに従って自動的に生成される。
【００１７】
代替案では、代表的幾何形状データは、セッティング・ファイル内の値によって指定されるものとしてまたはグラフィカル・ユーザ・インターフェースを介して提供される入力として、滑らかさ、厚さ、スケール、位置決め、および所望の寸法の、オペレータによって選択されるレベルに従って生成される。
【００１８】
好ましくは、代表的幾何データは、スプライン・データ、点群データ、ならびに／またはユーザの歯および歯肉線の曲率を表す他の幾何データを含む。
【００１９】
好ましくは、仮想ベース・モデル内のマウス・ピースは、小帯部、口蓋部、１つまたは複数の歯部、ならびにマウス・ピースが上歯および／または下歯の一方または両方のどちらに関するのかに応じて上歯肉線部および／または下歯肉線部を含む１つまたは複数の部位を有する。
【００２０】
好ましくは、この方法は、仮想ベース・モデル内のマウス・ピースから、小帯部、口蓋部、後方歯部、上歯肉線部および／または下歯肉線部、ならびに鋭い縁のうちの１つまたは複数を選択的に除去するステップを含む。
【００２１】
好ましくは、仮想ベース・モデル内のマウス・ピースから部位を選択的に除去するステップは、ユーザ・インターフェース手段上での除去のためにオペレータが手動で部位を選択することによって実行される。
【００２２】
好ましくは、この方法は、仮想ベース・モデル内のマウス・ピースの所望の厚さ、スケール位置決め、および所望の寸法を達成するために仮想ベース・モデルを処理するためのルールまたはセッティングの収集されたセットをエクスポートするステップを含む。
【００２３】
好ましくは、この方法は、グラフィカル・ユーザ・インターフェースからエクスポートされたモデル固有セッティング・ファイルに従ってグループ内で複数の仮想ベース・モデルをバッチ処理するステップを含む。このステップは、幾何形状データ、位置決めデータ、滑らかにする厚さ、スケール、所望の寸法、および追加されまたは除去される部分からなる各マウス・ピースを生成するためのルールのセットを記憶する。
【００２４】
好ましくは、仮想ベース・モデル内のマウス・ピースから１つまたは複数の歯部位を除去するステップは、自動的に実行される。
【００２５】
好ましくは、この方法は、仮想ベース・モデル内のマウス・ピースの壁の厚さを変更するステップを含む。そのような特徴は、選択されるスポーツ応用例または医療応用例に応じて、様々なレベルの全体保護とショック吸収とを提供する。
【００２６】
好ましくは、この方法は、仮想ベース・モデル内のマウス・ピースの鋭い縁を軟化させるステップを含む。
【００２７】
好ましくは、この方法は、スキャン・ファイル内の歯および歯肉線が、Ｘ、Ｙ、Ｚ座標系に対して相対的に一貫して位置決めされ、正しい方向を指しているように、Ｘ、Ｙ、Ｚ座標系の原点または基準点に従ってスキャン・ファイル内に示された歯および歯肉線を自動的に整列させ、位置決めするステップを含む。
【００２８】
代替案では、この方法は、グラフィカル・ユーザ・インターフェースを使用して、スキャン・ファイルの歯および歯肉線を手動で整列させるステップを含む。このステップは、歯が一貫した方向を指すように、スキャン・ファイルを正しく方位付けるために３つ以上のプリセット点と整列させるために、ユーザが、スキャン・ファイル内の歯および歯肉線上の３つ以上の点を選択することからなる。
【００２９】
好ましくは、この方法は、仮想ベース・モデルから口蓋部の上内壁のセクションを除去するステップを含む。
【００３０】
好ましくは、この方法は、歯肉線への炎症を引き起こす可能性がある、仮想ベース・モデル内のマウス・ピースのすべてのオーバーハングする部分または所望の部分を自動的に除去するステップを含む。
【００３１】
好ましくは、仮想ベース・モデルから除去される口蓋部の上内壁の寸法は、スキャン・ファイル内のユーザの歯および歯肉線の物理的データに従って計算される。
【００３２】
好ましくは、この方法は、完成されたマウス・ピース上の相互接続された片を回避するために、隣接するまたは欠けている歯または区域の間のギャップを充填する形状を生成するのに幾何形状データを使用するステップを含む。
【００３３】
好ましくは、この方法は、仮想ベース・モデル内のマウス・ピースのすべての縁の位置を追跡し、縁を軟化させるステップを含む。
【００３４】
好ましくは、この方法は、マウス・ピースを提供するために３Ｄプリンタまたは同様の積層造形機械上で３Ｄプリンタ可読ファイルを印刷するステップを含む。
【００３５】
代替案では、この方法は、除去製造のためにＣＮＣ可読ファイルをエクスポートするステップを含む。
【００３６】
好ましくは、この方法は、仮想ベース・モデル内に周辺デバイス・アタッチメント・データを組み込むさらなるステップを含み、周辺デバイス・アタッチメント・データは、３Ｄ印刷された時にマウス・ピースに周辺デバイスを取り付けるためのレシーバまたは接続手段を表す。周辺デバイス・アタッチメント・データは、印刷されたマウス・ピースに、マウス・ピースへの周辺デバイスの取付けを容易にするのに必要なレシーバまたは接続手段を提供する。
【００３７】
好ましくは、周辺デバイスは、機械的な、干渉の、粘着の、または他の適切な取付け手段を使用してレシーバまたは接続手段に取り付けられる。
【００３８】
好ましくは、この方法は、その中に電子デバイスまたは他のデバイスなどの１つまたはデバイスを収容するための仮想ベース・モデル内の内部隙間を作成するステップを含む。そのようなデバイスは、３Ｄ印刷中および／または３Ｄ印刷後に作成された隙間内に位置決めされ得る。
【００３９】
好ましくは、この方法は、電子デバイスまたは他のデバイス・タイプなどの内部構成要素をマウス・ピース内に組み込むさらなるステップを含む。デバイスの寸法を表すデータは、除去され、デバイスが３Ｄ印刷中または３Ｄ印刷後に配置される仮想ベース・モデル内の隙間を作成する。
【００４０】
好ましくは、この方法は、仮想ベース・モデル内に切欠を作成することまたは仮想ベース・モデルにカラー・マッピングされたテクスチャを適用することのいずれかによって、マウス・ピースの表面に記号、レタリング、数字、画像、またはロゴを追加するステップを含む。
【００４１】
好ましくは、この方法は、３Ｄカラー印刷のために仮想ベース・モデルに色付きのロゴ、色、または画像を適用するステップを含む。
【００４２】
この特徴は、３Ｄ印刷されるマウス・ピース上にブランディング情報、製品詳細情報、プレイヤ情報、または他の情報を設けることを可能にする。
【００４３】
好ましくは、この方法は、ユーザの歯に着用されたユーザの歯に着用された歯列矯正器の存在を伴うまたは伴わないフィッティングまたは除去を容易にするために、仮想ベース・モデルの外側表面にリリーフ・カットを作成するステップを含む。このステップは、より簡単な除去を容易にし、歯列矯正器に対する炎症または損傷を防ぐために、材料を除去することと、歯列矯正器の周辺の周囲に隙間を作成することと、マウス・ピースの外側表面にリリーフ・カットを配置することとによって歯列矯正器が存在することを考慮に入れている。
【００４４】
したがって、マウス・ピースは、オプションで、歯列矯正歯ブレースまたはユーザの着用する他の再調整デバイスの上への着用の必要に応じて寸法を定められ、構成されることも可能である。
【００４５】
本発明は、上で列挙したステップに従って製造されるマウス・ピースにも関する。
【００４６】
本発明は、マウス・ピースを符号化した３Ｄプリンタ可読ファイルを３Ｄ印刷することによってマウス・ピースを製造するシステムであって、
３次元（３Ｄ）スキャナ手段を使用して、ユーザの歯および歯肉線を表す物理的データを含むスキャン・ファイルを入手するための手段と、
スキャン・ファイル内の物理的データから外れ値データを除去するための手段と、
物理的データから、ユーザの歯および歯肉線の曲率の代表的幾何形状データを生成するための手段と、
物理的データおよび代表的幾何形状データから、マウス・ピースを表す仮想ベース・モデルを生成するための手段であって、仮想ベース・モデルは、カスタマイズ可能な寸法を有する、生成するための手段と、
仮想ベース・モデルによって表されるマウス・ピースから選択された部位を除去するための手段と、
仮想ベース・モデルから、３Ｄ印刷手段上での印刷のためにマウス・ピースを符号化した３Ｄプリンタ可読ファイルを生成するための手段と
を含むシステムをも提供する。
【００４７】
好ましくは、このシステムは、仮想ベース・モデル内に周辺デバイス・アタッチメント・データを組み込むための手段を含み、周辺デバイス・アタッチメント・データは、３Ｄ印刷された時にマウス・ピースに周辺デバイスを取り付けるためのレシーバまたは接続手段を表す。
【００４８】
仮想ベース・モデル内のマウス・ピースは、小帯部、口蓋部、後方歯部、ならびに上歯肉線部および／または下歯肉線部を含む１つまたは複数の部位を有し、システムは、小帯部、口蓋部、後方歯部、上歯肉線部および／または下歯肉線部、ならびに鋭い縁のうちの１つもしくは複数または一部を仮想ベース・モデル内のマウス・ピースから選択的に除去するための手段を含む。
【００４９】
好ましくは、仮想ベース・モデル内のマウス・ピースからの部位の選択的な除去は、自動的にまたはユーザ・インターフェース手段を介する除去のためにオペレータが手動で部位を選択することによって実行される。
【００５０】
好ましくは、このシステムは、仮想ベース・モデル内のマウス・ピースの壁の厚さを変更するための手段、仮想ベース・モデル内のマウス・ピースの鋭い縁を軟化させるための手段、および／または仮想ベース・モデルから口蓋部の上内壁のセクションを除去するための手段を含む。
【００５１】
好ましくは、このシステムは、仮想ベース・モデルから除去される口蓋部の上内壁の寸法を、スキャン・ファイル内のユーザの歯および歯肉線の物理的データに従って計算するための手段を含む。
【００５２】
好ましくは、このシステムは、仮想ベース・モデル内のマウス・ピースのすべての縁の位置を追跡し、縁を軟化させるための手段を含む。
【００５３】
好ましくは、このシステムは、マウス・ピースを提供するために３Ｄプリンタ上で３Ｄプリンタ可読ファイルを印刷するために含む。
【００５４】
好ましくは、このシステムは、マウス・ピースの３Ｄ印刷中または３Ｄ印刷後に内部デバイスを組み込むための手段を含む。
【００５５】
好ましくは、このシステムは、内部デバイスを表すデータを生成し、内部デバイスが３Ｄ印刷前、３Ｄ印刷後、または３Ｄ印刷中にその中に配置され得る隙間を仮想ベース・モデル内に作成するための手段を含む。
【００５６】
好ましくは、このシステムは、スキャン・ファイルをユーザの歯および歯肉線の１つまたは写真を使用して生成するための手段を含む。
【００５７】
好ましくは、このシステムは、仮想ベース・モデル内の歯および歯肉線から部位を選択的に除去するためのユーザ・インターフェース手段を含み、ユーザ・インターフェース手段は、ユーザによって操作された時に、マウス・ピースを生成する時に除外される歯および歯肉線の部位のグラフィカル表現を示すスライダまたは値シフタとして提供される。
【００５８】
好ましくは、このシステムは、仮想ベース・モデル内で表されるマウス・ピースを表示するためのユーザ・インターフェース手段を含み、ユーザ・インターフェースは、仮想ベース・モデル内のマウス・ピースの滑らかさ、厚さ、スケール、位置決め、および所望の寸法の視覚的表示を示し、それらを調整するように適合された調整可能な値スライダまたは値シフタを有する。
【００５９】
好ましくは、このシステムは、仮想ベース・モデル内のマウス・ピースの所望の厚さ、スケール位置決め、および所望の寸法を達成するために仮想ベース・モデルを処理するためのルールまたはセッティングの収集されたセットをエクスポートするための手段を含む。
【００６０】
好ましくは、このシステムは、幾何形状データ、位置決めデータ、滑らかにする厚さ、スケール、所望の寸法、およびマウス・ピースのうちで追加されまたは除去される部分を表すデータに従って各マウス・ピースを生成するためのルールのセットを記憶することによって、グラフィカル・ユーザ・インターフェースからエクスポートされたモデル固有セッティング・ファイルに従ってグループ内で複数の仮想ベース・モデルをバッチ処理するための手段を含む。
【００６１】
好ましくは、このシステムは、スキャン・ファイル内の歯および歯肉線が、Ｘ、Ｙ、Ｚ座標系に対して相対的に一貫して位置決めされ、正しい方向を指しているように、Ｘ、Ｙ、Ｚ座標系の原点または基準点に従ってスキャン・ファイル内に示された歯および歯肉線を自動的に整列させ、位置決めするための手段を含む。
【００６２】
好ましくは、このシステムは、グラフィカル・ユーザ・インターフェースを使用して、スキャン・ファイルの歯および歯肉線を手動で整列させるための手段であって、スキャン・ファイル内の歯および歯肉線上の３つ以上の点は、選択され、スキャン・ファイル内の歯および歯肉線を所望の方向に正しく方位付けるために３つ以上のプリセット点と整列するように構成される、整列させるための手段を含む。
【００６３】
好ましくは、このシステムは、仮想ベース・モデル内のマウス・ピースのすべてのオーバーハングする部分または所望の部分を自動的に除去するための手段を含む。
【００６４】
好ましくは、このシステムは、印刷されたマウス・ピース上の相互接続された片を回避するために、隣接するまたは欠けている歯または区域の間のギャップを充填する形状を生成するのに幾何形状データを使用するための手段を含む。
【００６５】
好ましくは、このシステムは、その中に電子デバイスまたは他のデバイスなどの１つまたはデバイスを収容するための仮想ベース・モデル内の内部隙間を作成するための手段を含む。
【００６６】
好ましくは、このシステムは、デバイスが３Ｄ印刷プロセス中または３Ｄ印刷プロセス後にその中に配置される、仮想ベース・モデル内の内部隙間を作成するのにデバイスの寸法を表すデータを使用するための手段を含む。
【００６７】
好ましくは、このシステムは、仮想ベース・モデル内に切欠を作成することまたは仮想ベース・モデルにカラー・マッピングされたテクスチャを適用することのいずれかによって、マウス・ピースの表面に記号、レタリング、数字、画像、またはロゴを追加するための手段を含む。
【００６８】
好ましくは、このシステムは、ユーザの歯に着用された歯列矯正ブレースの存在を伴うまたは伴わないフィッティングまたは除去を容易にするために、仮想ベース・モデル内の外側表面内にリリーフ・カットを作成するための手段を含む。
【００６９】
本発明は、１つまたは複数のプロセッサによって実行された時に、１つまたは複数のプロセッサにこの方法によるステップを実行させる命令を含む非一時的機械可読媒体をも提供する。
【００７０】
本発明は、添付図面を参照して、例としてのみ与えられる本発明のいくつかの実施形態の以下の説明からより明瞭に理解されるようになる。
【図面の簡単な説明】
【００７１】
【図１】本発明によるマウス・ピースを製造する方法で用いられるステップを示す流れ図である。
【図２−９】図１の流れ図のステップをさらに示す図である。
【図１０】周辺デバイスの取付けのためのレシーバまたは接続手段を有する製造された３Ｄ印刷されたマウス・ピースを示す図である。
【図１１】ユーザの歯および歯肉線のスキャン・ファイル内で表されるユーザの歯肉線の含まれる高さを増減させるように動作可能な調整可能なスライダを含むグラフィカル・ユーザ・インターフェースを示す図である。
【図１２】ユーザの歯および歯肉線のスキャン・ファイル内で表されるユーザの歯およびユーザの歯肉線のセクションを除去するための切断線を位置決めするために調整可能なスライダとして動作可能なグラフィカル・ユーザ・インターフェースを示す図である。
【図１３】スキャン・ファイル内の歯および歯肉線を整列させ、表示するように適合されたグラフィカル・ユーザ・インターフェースを示す図である。
【図１４】隣接する歯または欠けている歯の間のギャップを充填するステップの出力を示す図である。
【図１５】マウス・ピース内のデバイスを収容するために仮想ベース・モデル内に隙間を作成するステップの出力を示す図である。
【図１６】仮想ベース・モデル内のマウス・ピースにカラー・テクスチャを適用するステップの出力を示す図である。
【図１７】仮想ベース・モデル内のマウス・ピースにロゴ、文字、および／または数字を適用するステップの出力を示す図である。
【図１８】歯列矯正リリーフと、仮想ベース・モデル内でユーザが歯ブレースを着用する時の使用のために作成される隙間とを示す、上からの断面図である。
【図１８ａ】図１８の正面断面図および側面断面図である。
【図１９】本発明に従って構成されるシステムを示すブロック図である。
【発明を実施するための形態】
【００７２】
したがって、図面を参照して、マウス・ピースを符号化する３Ｄプリンタ可読ファイルを３Ｄ印刷することによってマウス・ピースを製造する方法を示す。
【００７３】
図１および図２に示されているように、この方法は、３次元スキャナ手段２を使用して、ユーザの歯および歯肉線１を表す物理的データを入手し、そのようなデータからスキャン・ファイルを生成する初期ステップ１００を含む。当技術で既知の３Ｄスキャニング技術は、および、処理のためにスキャン・ファイル内の３Ｄデータの形で人の物理的属性を取り込むのに使用される。スキャン・ファイルは、ステップ１０１で、処理手段３など、スキャン・ファイル内に含まれる３Ｄデータを処理するように動作可能なソフトウェアを実行するコンピューティング・デバイスに送信される。代替案では、スキャン・ファイルは、ユーザの歯および歯肉線の１つまたは写真を適切なスキャナ手段によって処理することによって生成される。図示されているように、図３では、３Ｄスキャン・ファイルが、アップロードされた時に、処理手段３によってユーザの歯および歯肉線１の画像４として表示される。
【００７４】
スキャン・ファイルの処理を、ステップ１０２で実行する。図４Ａおよび図４Ｂに示されているように、そのような処理は、スキャン・ファイルからの外れ値データ５の選択的な除去、無視、またはフィルタリングを含む。そのような外れ値データ５は、処理された時に無効な機械形状、劣悪なフィット、不快、または劣悪な美的仕上げをもたらすはずの、歯肉線、頬、舌、スキャンの異常を含む。
【００７５】
スキャン４を基準として使用して、ソフトウェアは、そのような外れ値データ５を除去して、スキャン・ファイル４内の物理的データからのユーザの歯および歯肉線の曲率を表す滑らかなスプラインまたは点群などの代表的な幾何形状データを作成する。このプロセスは、複数の軸にわたって複数の断面に対して、すなわち、モデルをセクションにスライスすることと、それぞれの断面を測定することとによって実行され、Ｘ軸、Ｙ軸、およびＺ軸にわたって繰り返される。
【００７６】
外れ値データを除去し、代表的な幾何形状データを生成するそのようなプロセスは、自動的に、またはセッティング・ファイル内の値としてもしくはグラフィカル・ユーザ・インターフェースを介して供給される入力として指定される、詳細およびスムーズさの所望のレベルと、厚さと、スケールと、位置決めと、所望の寸法とに従ってグラフィカル・ユーザ・インターフェースを介するユーザ入力から収集された手動で定義されたセッティングによって、実行され得る。
【００７７】
オプションで、図５に示されているように、後方歯部６を、処理されるデータから除去することができる。というのは、ほとんどの用途で、後方歯が、保護される必要がなく、後方歯を除去しないことが、追加の質量を追加し、使用中の会話に影響し、不快を引き起こす可能性があるからである。後方歯データ６の除去は、スキャン４のうちのどれほどが除去されるべきなのかおよび後方歯６を除去するカットがどの角度で行われるべきなのかとの概要を示す事前定義のセッティングに従って自動的に実行され得る。
【００７８】
図６に示されているように、マウス・ピース８を表す仮想ベース・モデル７が、物理的データとスプライン代表的幾何形状データとから生成される。仮想ベース・モデル７は、小帯部、口蓋部、後方歯部、および上歯肉線部を含む、１つまたは複数の定義された部位を有する。仮想ベース・モデル７は密接に最終的なマウス・ピースを表し、状況に応じて、異なる保護レベルとなるようカスタマイズすることができる。したがって、選択された部位を、必要または望みに応じて仮想ベース・モデル７によって表されるマウス・ピース８から除去することができ、そのようなステップを、除去に関してオペレータが部位を手動で選択することによって実行することができる。仮想ベース・モデル７内のマウス・ピース８の壁の厚さは、ユーザに従って、必要に応じて調整することができる。
【００７９】
図７に示されているように、口蓋または舌との干渉を防ぐために、上内壁のセクション９が、仮想ベース・モデル７によって示されるマウス・ピース８から除去される。仮想ベース・モデル７から除去されるカットアウト部位９の寸法（長さ、幅、および高さなど）は、スキャン・ファイル内のユーザの歯および歯肉線の物理的データに従って計算され、または、オペレータによって手動で定義され得る。図８に示されているように、さらなる部位１０が、マウス・ピースと小帯腺（ｆｒｅｎｕｍ  ｇｌａｎｄ）との間の炎症を除去するために、仮想ベース・モデル７によって示されるマウス・ピース８から除去される。
【００８０】
図９によれば、仮想ベース・モデル７内のマウス・ピース８の鋭い縁１１は、歯肉線とマウス・ピースとの間の炎症を防ぐために軟化される。そのような軟化は、本発明のソフトウェアに組み込まれた、隅肉、面取り、点操作、または平滑化アルゴリズムによって実行され得る。支援するために、仮想ベース・モデル内のマウス・ピースのすべての縁の位置が追跡される。
【００８１】
オプションで、仮想ベース・モデルに周辺デバイス・アタッチメント・データを取り込む、さらなるステップが実行され、これによって、周辺デバイス・アタッチメント・データは、３Ｄ印刷された時にマウス・ピースに周辺デバイスを取り付けるレシーバまたは接続手段を表す。
【００８２】
図１０に示されているように、周辺デバイス・アタッチメント・データは、マウス・ピース８が３Ｄ印刷された時にマウス・ピース８に周辺デバイス１２を取り付けるための、マウス・ピース８の前のジョイント１４として図示されたレシーバまたは接続手段を表す。デバイス１２を、機械的手段、干渉手段、または粘着手段を使用してジョイント１４に取り付け、またはクリップでとめることができる。ジョイント１４を、マウス・ピース８の任意の所望の位置に設けることができ、マウス・ピースの前での接続への言及を、限定的と考えてはならないことを理解されたい。
【００８３】
そのような周辺デバイス１２は、マウス・ピース８が地面に落ちるのを防ぐためにテザーを介してマウス・ピース８をヘルメットに取り付けるのに使用されるヘルメット・アタッチメント、またはアクティブである間にユーザの手を解放するためにマウス・ピース８にカメラを取り付けまたはマウントするのに使用されるカメラ・アタッチメントとすることができる。周辺デバイス１２を、着用者の口からマウス・ピース８をつかみ、除去するのを容易にするためのアタッチメントとして提供することもでき、周辺デバイス１２自体を、歯ぎしり、睡眠時無呼吸、および他の歯科矯正のまたは外科的な手技および治療など、状態を治療するのに使用される上下のマウス・ピースなどの追加のマウス・ピースへの接続を容易にするためのアタッチメントとすることができる。
【００８４】
代替案では、アタッチメント・データは、マウス・ピース８の着用者に対して実行される神経画像、ＭＲＩ、全身スキャン、またはＸ線の手順で使用される周辺デバイス１２を取り付けるためのレシーバまたは接続手段１４を表すことができる。アパーチャ１３として提供されるさらなる接続手段を、デバイス１２自体に設け、必要な手順を容易にするためのさらなる外部デバイスを取り付け、保持し、または把持するのに使用することもできる。
【００８５】
最後に、ステップ１０３で、結果の仮想ベース・モデル７から、マウス・ピース８を符号化した３Ｄプリンタ可読ファイルを生成し、３Ｄ印刷手段に送信し、印刷する。
【００８６】
図１１は、ユーザの歯および歯肉線２６のスキャン・ファイル内で表されるユーザの歯肉線２４の含まれる高さを増減させるように動作可能な調整可能なスライダ２２を含むグラフィカル・ユーザ・インターフェース２０を示す。
【００８７】
図１２は、スキャン・ファイル内で表されるユーザの歯および歯肉線２６のセクション（（Ｒ）右セクションおよびＬ（左）セクションとして図示）を除去するための切断線３２を位置決めするために調整可能なスライダ３０として動作可能なグラフィカル・ユーザ・インターフェース２８を示す。スキャン・ファイル内の歯および歯肉線２６からの部位の選択的な除去は、ユーザによって操作された時に、マウス・ピースを生成する時に除外される部位のグラフィカル表現を示す、スライダ３０または値シフタとして提供されたユーザ・インターフェース２８によって実行され得る。
【００８８】
グラフィカル・インターフェース２０、２８を、仮想ベース・モデル内で表されたマウス・ピースを表示する際の使用のためにも適用することができ、そのようなユーザ・インターフェース２０、２８は、仮想ベース・モデル内のマウス・ピースの滑らかさ、厚さ、スケール、位置決め、および所望の寸法を調整するように適合された調整可能な値スライダまたは値シフタを設けられる。
【００８９】
図１３は、スキャン・ファイル内の歯および歯肉線を整列させ、表示するように適合されたグラフィカル・ユーザ・インターフェース３４を示す。そのようなインターフェース３４は、Ｘ、Ｙ、Ｚ座標系４２の原点または基準点に従って、スキャン・ファイル内に示された歯および歯肉線を自動的に整列させ、位置決めするように動作可能とすることができ、スキャン・ファイル内の歯および歯肉線は、Ｘ、Ｙ、Ｚ座標系に対して相対的に一貫して位置決めされ、正しい方向を指しているようになっている。図１３に示されているのは、整列の前の歯および歯肉線３６と、Ｘ、Ｙ、Ｚ座標系に対して相対的に正しい方向に整列された歯および歯肉線３８とである。このステップは、歯が一貫した方向を指しているようにするために、歯および歯肉線３６を正しく方位付けるために３つ以上のプリセット点と整列させるためにスキャン・ファイル内の歯および歯肉線３６上の３つ以上の点４０をユーザが選択することからなる。
【００９０】
図１４は、隣接する歯または欠けている歯４６の間のギャップ４４を充填する、ユーザ・インターフェースによって実行されるステップの出力を示す。幾何形状データを使用することによって、ユーザ・インターフェースは、完成した３Ｄ印刷されたマウス・ピースの相互接続された片を回避するために、隣接する歯または欠けている歯４６の間のギャップ４４を選択的に充填する形状を生成するように動作可能である。図示されているように、当初に、スキャン・ファイル表現内の歯および歯肉線４８は、隣接する歯４６の間に相対的に大きいギャップ４４を有し、歯および歯肉線５０内のギャップ４４を充填した後には、大幅に減らされる。グラフィカル・ユーザ・インターフェースは、仮想ベース・モデル内の外れ値データの概要を示しまたは示すようにさらに動作可能とすることができる。
【００９１】
図１５は、電子デバイスまたは他のデバイスなどのデバイス５６を収容するために仮想ベース・モデルのマウス・ピース５２内に１つまたは複数の隙間５４を作成するステップの出力を示す。そのような１つまたは複数のデバイス５６は、マウス・ピースの３Ｄ印刷中および／または３Ｄ印刷後に作成される隙間５２内に位置決めされ得る。
【００９２】
図１６は、仮想ベース・モデル内のマウス・ピース６０にカラー・テクスチャ５８を適用するステップの出力を示す。図１７は、仮想ベース・モデル内のマウス・ピース６４にロゴ、文字、および／または数字６２を適用するステップの出力を示す。したがって、記号、レタリング、数字、画像、またはロゴを、仮想ベース・モデル内に切欠を作成することまたは仮想ベース・モデルによって表示されるマウス・ピースにカラー・マッピングされたテクスチャを適用することのいずれかによって、マウス・ピースの表面に対する処理中に適用することができる。
【００９３】
図１８および図１８ａは、ユーザが仮想ベース・モデル内の歯ブレースを着用する時に関して仮想ベース・モデル内で表示されるマウス・ピース６８内の歯列矯正器リリーフ６７およびチャネルまたは隙間６６の作成を示す。リリーフ・カット６７を仮想ベース・モデルのマウス・ピース６８の外側表面に作成することによって、ユーザの歯に着用される歯列矯正器の存在を伴うまたはこれを伴わないフィッティングまたは除去が容易にされる。マウス・ピース６８の周囲の回りで材料を除去し、チャネルまたは隙間６６を作成することと、マウス・ピースの外側表面内にリリーフ・カット６６を配置することとによって、歯列矯正器の存在のための余裕が提供され、より簡単な除去と、炎症または歯列矯正器に対する損傷を防ぐのとを容易にする。
【００９４】
さらに、歯肉線への炎症を引き起こす可能性がある、仮想ベース・モデル内のマウス・ピースのすべてのオーバーハングする部分または所望の部分が、自動的に除去される。
【００９５】
図１９は、本発明に従って構成されるシステムを示すブロック図である。図示されているのは、マウス・ピースを符号化した３Ｄプリンタ可読ファイルを３Ｄ印刷することによってマウス・ピースを製造するシステム２００である。このシステムは、１つまたは複数のコンピュータ／プロセッサ上で実行するソフトウェアによって実施され、３次元（３Ｄ）スキャナ手段を使用して、ユーザの歯および歯肉線を表す物理的データを含むスキャン・ファイルを入手するための手段２１０と、スキャン・ファイル内の物理的データから外れ値データを除去するための手段２２０と、物理的データから、ユーザの歯および歯肉線の曲率の代表的幾何形状データを生成するための手段２３０と、物理的データおよび代表的幾何形状データから、マウス・ピースを表す仮想ベース・モデルを生成するための手段２４０であって、仮想ベース・モデルは、カスタマイズ可能な寸法を有する、生成するための手段２４０と、仮想ベース・モデルによって表されるマウス・ピースから選択された部位を除去するための手段２５０と、３Ｄ印刷手段上での印刷のために、仮想ベース・モデルから、マウス・ピースを符号化した３Ｄプリンタ可読ファイルを生成するための手段２６０とを含む。
【００９６】
このシステムは、仮想ベース・モデル内に周辺デバイス・アタッチメント・データを組み込むための手段２７０であって、周辺デバイス・アタッチメント・データは、３Ｄ印刷された時にマウス・ピースに周辺デバイスを取り付けるためのレシーバまたは接続手段を表す、組み込むための手段２７０と、仮想ベース・モデル内のマウス・ピースの壁の厚さを変更するため、仮想ベース・モデル内のマウス・ピースの鋭い縁を軟化させるため、および／または仮想ベース・モデルから口蓋部の上内壁のセクションを除去するための手段２８０とを含む。
【００９７】
やはり図示されているのが、仮想ベース・モデルから除去される口蓋部の上内壁の寸法を、スキャン・ファイル内のユーザの歯および歯肉線の物理的データに従って計算するための手段２９０と、仮想ベース・モデル内のマウス・ピースのすべての縁の位置を追跡し、縁を軟化させるための手段３００と、マウス・ピースを提供するために３Ｄプリンタ上で３Ｄプリンタ可読ファイルを印刷するための手段と、内部デバイスを表すデータを生成し、内部デバイスが３Ｄ印刷前、３Ｄ印刷後、または３Ｄ印刷中にその中に配置され得る隙間を仮想ベース・モデル内に作成するための手段３１０と、スキャン・ファイルをユーザの歯および歯肉線の１つまたは写真を使用して生成するための手段とである。
【００９８】
このシステムは、仮想ベース・モデル内の歯および歯肉線から部位を選択的に除去するためのユーザ・インターフェース手段３２０をさらに含み、ユーザ・インターフェース手段は、ユーザによって操作された時に、マウス・ピースを生成する時に除外される歯および歯肉線の部位のグラフィカル表現を示すスライダまたは値シフタとして提供される。ユーザ・インターフェース手段３２０は、仮想ベース・モデル内で表されるマウス・ピースを表示するように適合され、ユーザ・インターフェースは、仮想ベース・モデル内のマウス・ピースの滑らかさ、厚さ、スケール、位置決め、および所望の寸法の視覚的表示を示し、それらを調整するように適合された調整可能な値スライダまたは値シフタを有する。
【００９９】
やはり図示されているのは、仮想ベース・モデル内のマウス・ピースの所望の厚さ、スケール位置決め、および所望の寸法を達成するために仮想ベース・モデルを処理するためのルールまたはセッティングの収集されたセットをエクスポートするための手段３３０と、幾何形状データ、位置決めデータ、滑らかにする厚さ、スケール、所望の寸法、およびマウス・ピースのうちで追加されまたは除去される部分を表すデータに従って各マウス・ピースを生成するためのルールのセットを記憶することによって、グラフィカル・ユーザ・インターフェースからエクスポートされたモデル固有セッティング・ファイルに従ってグループ内で複数の仮想ベース・モデルをバッチ処理するための手段３４０と、スキャン・ファイル内の歯および歯肉線が、Ｘ、Ｙ、Ｚ座標系に対して相対的に一貫して位置決めされ、正しい方向を指しているように、Ｘ、Ｙ、Ｚ座標系の原点または基準点に従ってスキャン・ファイル内に示された歯および歯肉線を自動的に整列させ、位置決めするための手段３５０と、グラフィカル・ユーザ・インターフェースを使用して、スキャン・ファイルの歯および歯肉線を手動で整列させるための手段３６０であって、スキャン・ファイル内の歯および歯肉線上の３つ以上の点は、選択され、スキャン・ファイル内の歯および歯肉線を所望の方向に正しく方位付けるために３つ以上のプリセット点と整列するように構成される、整列させるための手段３６０と、仮想ベース・モデル内のマウス・ピースのすべてのオーバーハングする部分または所望の部分を自動的に除去するための手段３７０と、印刷されたマウス・ピース上の相互接続された片を回避するために、隣接するまたは欠けている歯または区域の間のギャップを充填する形状を生成するのに幾何形状データを使用するための手段３８０と、デバイスが３Ｄ印刷プロセス中または３Ｄ印刷プロセス後にその中に配置される、仮想ベース・モデル内の内部隙間を作成するのにデバイスの寸法を表すデータを使用するための手段３９０とである。
【０１００】
このシステムは、仮想ベース・モデル内に切欠を作成することまたは仮想ベース・モデルにカラー・マッピングされたテクスチャを適用することのいずれかによって、マウス・ピースの表面に記号、レタリング、数字、画像、またはロゴを追加するための手段４００と、ユーザの歯に着用された歯列矯正ブレースの存在を伴うまたは伴わないフィッティングまたは除去を容易にするために、仮想ベース・モデルの外側表面内にリリーフ・カットを作成するための手段４１０とをさらに含む。
【０１０１】
本発明が、例としてのみ与えられる本明細書で説明される特定の詳細に限定されないことと、様々な修正形態および代替形態が、添付の特許請求の範囲で定義される本発明の範囲から逸脱せずに可能であることとを理解されたい。
【図１】
2020531960.tif 000003
【図２】
2020531960.tif 000004
【図３】
2020531960.tif 000005
【図４Ａ】
2020531960.tif 000006
【図４Ｂ】
2020531960.tif 000007
【図５】
2020531960.tif 000008
【図６】
2020531960.tif 000009
【図７】
2020531960.tif 000010
【図８】
2020531960.tif 000011
【図９】
2020531960.tif 000012
【図１０】
2020531960.tif 000013
【図１１】
2020531960.tif 000014
【図１２】
2020531960.tif 000015
【図１３】
2020531960.tif 000016
【図１４】
2020531960.tif 000017
【図１５】
2020531960.tif 000018
【図１６】
2020531960.tif 000019
【図１７】
2020531960.tif 000020
【図１８】
2020531960.tif 000021
【図１８ａ】
2020531960.tif 000022
【図１９】
2020531960.tif 000023
【手続補正書】
【提出日】令和1年8月14日(2019.8.14)
【手続補正１】
【補正対象書類名】特許請求の範囲
【補正対象項目名】全文
【補正方法】変更
【補正の内容】
【特許請求の範囲】
【請求項１】
マウス・ピースを符号化した３Ｄプリンタ可読ファイルを３Ｄ印刷することによって前記マウス・ピースを製造する方法であって、
３次元（３Ｄ）スキャナ手段を使用して、ユーザの歯および歯肉線を表す物理的データを含むスキャン・ファイルを入手するステップと、
前記スキャン・ファイル内の物理的データから外れ値データを除去するステップと、
前記物理的データから、前記ユーザの歯および歯肉線の曲率の代表的幾何形状データを生成するステップと、
前記物理的データおよび前記代表的幾何形状データから、前記マウス・ピースを表す仮想ベース・モデルを生成するステップであって、前記仮想ベース・モデルは、カスタマイズ可能な寸法を有する、生成するステップと、
前記仮想ベース・モデルによって表される前記マウス・ピースから選択された部位を除去するステップと、
前記仮想ベース・モデルから、３Ｄ印刷手段での印刷のために前記マウス・ピースを符号化した前記３Ｄプリンタ可読ファイルを生成するステップと
を含み、ユーザの歯肉線の含まれる高さを増減するように動作可能な調整可能なスライダを含むグラフィカル・ユーザ・インターフェースを操作するステップを特徴とし、
前記グラフィカル・ユーザ・インターフェースは、切断線を位置決めするために調整可能な値スライダまたは値シフタであって、前記切断線は、前記スキャンファイル内の前記歯および歯肉線の部位を選択的に除去するためのものであり、前記調整可能な値スライダまたは値シフタは、ユーザによって操作された時に、前記マウス・ピースを生成する時に除外される前記部位のグラフィカル表現を示し、前記切断線は、前記仮想ベース・モデル内の前記マウス・ピースから小帯部、口蓋部、上歯肉線部および／または下歯肉線部、ならびに鋭い縁のうちの１つまたは複数の部分を選択的に除去するためのものであり、前記グラフィカル・ユーザ・インターフェースは、前記仮想ベース・モデルからの除去の前および除去の後に前記歯および歯肉線の前記部位のグラフィカル表現を提供する、調整可能な値スライダまたは値シフタをさらに含み、
前記調整可能な値スライダまたは値シフタは、所望のレベルの保護を有するマウス・ピースを提供するために前記仮想ベース・モデル内の前記マウス・ピースの滑らかさ、壁の厚さ、スケール、位置決め、および所望の寸法を調整するためにさらに操作される
方法。
【請求項２】
前記代表的幾何形状データは、滑らかさの所定のレベルに従って自動的に生成され、またはオペレータによって選択された滑らかさのレベルに従って生成される、請求項１に記載のマウス・ピースを製造する方法。
【請求項３】
前記仮想ベース・モデル内に周辺デバイス・アタッチメント・データを組み込むさらなるステップを含み、前記周辺デバイス・アタッチメント・データは、３Ｄ印刷された時に前記マウス・ピースに周辺デバイスを取り付けるためのレシーバまたは接続手段を表す、請求項１または請求項２に記載のマウス・ピースを製造する方法。
【請求項４】
前記仮想ベース・モデル内の前記マウス・ピースは、小帯部、口蓋部、後方歯部、ならびに上歯肉線部および／または下歯肉線部を含む１つまたは複数の部位を有する、請求項１から請求項３のいずれか１項に記載のマウス・ピースを製造する方法。
【請求項５】
前記仮想ベース・モデル内の前記マウス・ピースから１つまたは複数の歯部位を除去するステップが自動的に実行される、請求項１から請求項４のいずれか１項に記載のマウス・ピースを製造する方法。
【請求項６】
前記仮想ベース・モデル内の前記マウス・ピースの鋭い縁を軟化させるステップを含む、請求項１から請求項５のいずれか１項に記載のマウス・ピースを製造する方法。
【請求項７】
前記仮想ベース・モデルから前記口蓋部の上内壁のセクションを除去するステップを含む、請求項１から請求項６のいずれか１項に記載のマウス・ピースを製造する方法。
【請求項８】
前記仮想ベース・モデルから除去される前記口蓋部の前記上内壁の寸法は、前記スキャン・ファイル内の前記ユーザの歯および歯肉線の物理的データに従って計算される、請求項７に記載のマウス・ピースを製造する方法。
【請求項９】
前記仮想ベース・モデル内の前記マウス・ピースのすべての縁の位置を追跡し、前記縁を軟化させるステップを含む、請求項１から請求項８のいずれか１項に記載のマウス・ピースを製造する方法。
【請求項１０】
前記マウス・ピースを提供するために３Ｄプリンタ上で前記３Ｄプリンタ可読ファイルを印刷するステップを含む、請求項１から請求項９のいずれか１項に記載のマウス・ピースを製造する方法。
【請求項１１】
前記マウス・ピースの３Ｄ印刷中または３Ｄ印刷後に内部デバイスを組み込むステップを含む、請求項１から請求項１０のいずれか１項に記載のマウス・ピースを製造する方法。
【請求項１２】
前記内部デバイスを表すデータを生成し、内部デバイスが前記マウス・ピースの３Ｄ印刷中または３Ｄ印刷後にその中に配置される隙間を前記仮想ベース・モデル内に作成するステップを含む、請求項１から請求項１１のいずれか１項に記載のマウス・ピースを製造する方法。
【請求項１３】
前記スキャン・ファイルは、前記ユーザの歯および歯肉線の１つまたは写真を使用して生成される、請求項１から請求項１２のいずれか１項に記載のマウス・ピースを製造する方法。
【請求項１４】
前記仮想ベース・モデル内の前記マウス・ピースの所望の厚さ、スケール位置決め、および所望の寸法を達成するために前記仮想ベース・モデルを処理するためのルールまたはセッティングの収集されたセットをエクスポートするステップを含む、請求項１から請求項１３のいずれか１項に記載のマウス・ピースを製造する方法。
【請求項１５】
幾何形状データ、位置決めデータ、滑らかにする厚さ、スケール、所望の寸法、および前記マウス・ピースのうちで追加されまたは除去される部分を表すデータに従って各マウス・ピースを生成するためのルールのセットを記憶することによって、グラフィカル・ユーザ・インターフェースからエクスポートされたモデル固有セッティング・ファイルに従ってグループ内で複数の仮想ベース・モデルをバッチ処理するステップを含む、請求項１から請求項１４のいずれか１項に記載のマウス・ピースを製造する方法。
【請求項１６】
前記スキャン・ファイル内の歯および歯肉線が、Ｘ、Ｙ、Ｚ座標系に対して相対的に一貫して位置決めされ、正しい方向を指しているように、前記Ｘ、Ｙ、Ｚ座標系の原点または基準点に従って前記スキャン・ファイル内に示された前記歯および歯肉線を自動的に整列させ、位置決めするステップを含む、請求項１から請求項１５のいずれか１項に記載のマウス・ピースを製造する方法。
【請求項１７】
グラフィカル・ユーザ・インターフェースを使用して、前記スキャン・ファイルの歯および歯肉線を手動で整列させるステップであって、前記スキャン・ファイル内の前記歯および歯肉線上の３つ以上の点は、選択され、前記スキャン・ファイル内の前記歯および歯肉線を所望の方向に正しく方位付けるために３つ以上のプリセット点と整列するように構成される、整列させるステップを含む、請求項１から請求項１６のいずれか１項に記載のマウス・ピースを製造する方法。
【請求項１８】
前記仮想ベース・モデル内の前記マウス・ピースのすべてのオーバーハングする部分または所望の部分を自動的に除去するステップのステップを含む、請求項１から請求項１７のいずれか１項に記載のマウス・ピースを製造する方法。
【請求項１９】
印刷されたマウス・ピース上の相互接続された片を回避するために、隣接するまたは欠けている歯または区域の間のギャップを充填する形状を生成するのに幾何形状データを使用するステップを含む、請求項１から請求項１８のいずれか１項に記載のマウス・ピースを製造する方法。
【請求項２０】
その中に電子デバイスまたは他のデバイスなどの１つまたは複数のデバイスを収容するための前記仮想ベース・モデル内の内部隙間を作成するステップを含む、請求項１から請求項１９のいずれか１項に記載のマウス・ピースを製造する方法。
【請求項２１】
前記デバイスが前記３Ｄ印刷プロセス中または前記３Ｄ印刷プロセス後にその中に配置される、前記仮想ベース・モデル内の前記内部隙間を作成するのに前記デバイスの寸法を表すデータを使用するステップを含む、請求項２０に記載のマウス・ピースを製造する方法。
【請求項２２】
前記仮想ベース・モデル内に切欠を作成することまたは前記仮想ベース・モデルにカラー・マッピングされたテクスチャを適用することのいずれかによって、前記マウス・ピースの表面に記号、レタリング、数字、画像、またはロゴを追加するステップを含む、請求項１から請求項２１のいずれか１項に記載のマウス・ピースを製造する方法。
【請求項２３】
ユーザの歯に着用された歯列矯正ブレースの存在を伴うまたは伴わない印刷されたマウス・ピースのフィッティングまたは除去を容易にするために、前記仮想ベース・モデル内の前記マウス・ピースの外側表面内に１つまたは複数のリリーフ・カットおよび／または隙間を作成するステップを含む、請求項１から請求項２２のいずれか１項に記載のマウス・ピースを製造する方法。
【請求項２４】
１つまたは複数のプロセッサ、３次元スキャナ手段、およびグラフィカル・ユーザ・インターフェース手段によって実行された時に、前記１つまたは複数のプロセッサ、３次元スキャナ手段、およびグラフィカル・ユーザ・インターフェース手段に、請求項１から請求項２３のいずれか１項に記載のステップを実行させる命令を含む非一時的機械可読媒体。
【請求項２５】
マウス・ピースを符号化した３Ｄプリンタ可読ファイルを３Ｄ印刷することによって前記マウス・ピースを製造するシステムであって、
３次元（３Ｄ）スキャナ手段を使用して、ユーザの歯および歯肉線を表す物理的データを含むスキャン・ファイルを入手するための手段と、
前記スキャン・ファイル内の物理的データから外れ値データを除去するための手段と、
前記物理的データから、前記ユーザの歯および歯肉線の曲率の代表的幾何形状データを生成するための手段と、
前記物理的データおよび前記代表的幾何形状データから、マウス・ピースを表す仮想ベース・モデルを生成するための手段であって、前記仮想ベース・モデルは、カスタマイズ可能な寸法を有する、生成するための手段と、
前記仮想ベース・モデルによって表される前記マウス・ピースから選択された部位を除去するための手段と、
前記仮想ベース・モデルから、前記マウス・ピースを符号化した前記３Ｄプリンタ可読ファイルを生成するための手段および前記３Ｄプリンタ可読ファイルを印刷するための３Ｄ印刷手段と
を含み、前記システムは、ユーザの歯肉線の含まれる高さを増減するように動作可能な調整可能なスライダを含むグラフィカル・ユーザ・インターフェース手段をさらに含むことを特徴とし、
前記グラフィカル・ユーザ・インターフェース手段は、切断線を位置決めするために調整可能な値スライダまたは値シフタであって、前記切断線は、前記スキャンファイル内の前記歯および歯肉線の部位を選択的に除去するためのものであり、前記調整可能な値スライダまたは値シフタは、ユーザによって操作された時に、前記マウス・ピースを生成する時に除外される前記部位のグラフィカル表現を示し、前記切断線は、前記仮想ベース・モデル内の前記マウス・ピースから小帯部、口蓋部、上歯肉線部および／または下歯肉線部、ならびに鋭い縁のうちの１つまたは複数の部分を選択的に除去するためのものであり、前記グラフィカル・ユーザ・インターフェース手段は、前記仮想ベース・モデルからの除去の前および除去の後に前記歯および歯肉線の前記部位のグラフィカル表現を提供する、調整可能な値スライダまたは値シフタをさらに含み、
前記調整可能な値スライダまたは値シフタは、所望のレベルの保護を有するマウス・ピースを提供するために前記仮想ベース・モデル内の前記マウス・ピースの滑らかさ、壁の厚さ、スケール、位置決め、および所望の寸法を調整するためにさらに操作される
システム。
【請求項２６】
前記代表的幾何形状データは、滑らかさの所定のレベルに従って自動的に生成され、またはオペレータによって選択された滑らかさのレベルに従って生成される、請求項２５に記載の保護マウス・ピースを製造するシステム。
【請求項２７】
前記仮想ベース・モデル内に周辺デバイス・アタッチメント・データを組み込むための手段を含み、前記周辺デバイス・アタッチメント・データは、３Ｄ印刷された時に前記マウス・ピースに周辺デバイスを取り付けるためのレシーバまたは接続手段を表す、請求項２５または請求項２６に記載のマウス・ピースを製造するシステム。
【請求項２８】
前記仮想ベース・モデルから除去される前記口蓋部の前記上内壁の寸法を、前記スキャン・ファイル内の前記ユーザの歯および歯肉線の物理的データに従って計算するための手段を含む、請求項２５から請求項２７のいずれか１項に記載のマウス・ピースを製造するシステム。
【請求項２９】
前記仮想ベース・モデル内の前記マウス・ピースのすべての縁の位置を追跡し、前記縁を軟化させるための手段を含む、請求項２５から請求項２８のいずれか１項に記載のマウス・ピースを製造するシステム。
【請求項３０】
前記マウス・ピースを提供するために３Ｄプリンタ上で前記３Ｄプリンタ可読ファイルを印刷するための手段を含む、請求項２５から請求項２９のいずれか１項に記載のマウス・ピースを製造するシステム。
【請求項３１】
前記マウス・ピースの３Ｄ印刷中または３Ｄ印刷後に内部デバイスを組み込むための手段を含む、請求項２５から請求項３０のいずれか１項に記載のマウス・ピースを製造するシステム。
【請求項３２】
内部デバイスを表すデータを生成し、内部デバイスが３Ｄ印刷前、３Ｄ印刷後、または３Ｄ印刷中にその中に配置され得る隙間を前記仮想ベース・モデル内に作成するための手段を含む、請求項２５から請求項３１のいずれか１項に記載のマウス・ピースを製造するシステム。
【請求項３３】
前記スキャン・ファイルを前記ユーザの歯および歯肉線の１つまたは複数の写真を使用して生成するための手段を含む、請求項２５から請求項３２のいずれか１項に記載のマウス・ピースを製造するシステム。
【請求項３４】
前記仮想ベース・モデル内の前記マウス・ピースの所望の厚さ、スケール位置決め、および所望の寸法を達成するために前記仮想ベース・モデルを処理するためのルールまたはセッティングの収集されたセットをエクスポートするための手段を含む、請求項２５から請求項３３のいずれか１項に記載のマウス・ピースを製造するシステム。
【請求項３５】
幾何形状データ、位置決めデータ、滑らかにする厚さ、スケール、所望の寸法、および前記マウス・ピースのうちで追加されまたは除去される部分を表すデータに従って各マウス・ピースを生成するためのルールのセットを記憶することによって、グラフィカル・ユーザ・インターフェースからエクスポートされたモデル固有セッティング・ファイルに従ってグループ内で複数の仮想ベース・モデルをバッチ処理するための手段を含む、請求項２５から請求項３４のいずれか１項に記載のマウス・ピースを製造するシステム。
【請求項３６】
前記スキャン・ファイル内の歯および歯肉線が、Ｘ、Ｙ、Ｚ座標系に対して相対的に一貫して位置決めされ、正しい方向を指しているように、前記Ｘ、Ｙ、Ｚ座標系の原点または基準点に従って前記スキャン・ファイル内に示された前記歯および歯肉線を自動的に整列させ、位置決めするための手段を含む、請求項２５から請求項３５のいずれか１項に記載のマウス・ピースを製造するシステム。
【請求項３７】
グラフィカル・ユーザ・インターフェースを使用して、前記スキャン・ファイルの歯および歯肉線を手動で整列させるための手段であって、前記スキャン・ファイル内の前記歯および歯肉線上の３つ以上の点は、選択され、前記スキャン・ファイル内の前記歯および歯肉線を所望の方向に正しく方位付けるために３つ以上のプリセット点と整列するように構成される、整列させるための手段を含む、請求項２５から請求項３６のいずれか１項に記載のマウス・ピースを製造するシステム。
【請求項３８】
前記仮想ベース・モデル内の前記マウス・ピースのすべてのオーバーハングする部分または所望の部分を自動的に除去するための手段を含む、請求項２５から請求項３７のいずれか１項に記載のマウス・ピースを製造するシステム。
【請求項３９】
印刷されたマウス・ピース上の相互接続された片を回避するために、隣接するまたは欠けている歯または区域の間のギャップを充填する形状を生成するのに幾何形状データを使用するための手段を含む、請求項２５から請求項３８のいずれか１項に記載のマウス・ピースを製造するシステム。
【請求項４０】
その中に電子デバイスまたは他のデバイスなどの１つまたは複数のデバイスを収容するための前記仮想ベース・モデル内の内部隙間を作成するための手段を含む、請求項２５から請求項３９のいずれか１項に記載のマウス・ピースを製造するシステム。
【請求項４１】
前記デバイスが前記３Ｄ印刷プロセス中または前記３Ｄ印刷プロセス後にその中に配置される、前記仮想ベース・モデル内の前記内部隙間を作成するのに前記デバイスの寸法を表すデータを使用するための手段を含む、請求項２５から請求項４０のいずれか１項に記載のマウス・ピースを製造するシステム。
【請求項４２】
前記仮想ベース・モデル内に切欠を作成することまたは前記仮想ベース・モデルにカラー・マッピングされたテクスチャを適用することのいずれかによって、前記マウス・ピースの表面に記号、レタリング、数字、画像、またはロゴを追加するための手段を含む、請求項２５から請求項４１のいずれか１項に記載のマウス・ピースを製造するシステム。
【請求項４３】
ユーザの歯に着用された歯列矯正ブレースの存在を伴うまたは伴わない印刷されたマウス・ピースのフィッティングまたは除去を容易にするために、前記仮想ベース・モデル内の前記マウス・ピースの外側表面内に１つまたは複数のリリーフ・カットおよび／または隙間を作成するための手段を含む、請求項２５から請求項４２のいずれか１項に記載のマウス・ピースを製造するシステム。
【請求項４４】
実質的に、添付図面および／または例を参照して本明細書で説明され図示された通りにマウス・ピースを符号化した３Ｄプリンタ可読ファイルを３Ｄ印刷することによってマウス・ピースを製造する方法。
【請求項４５】
実質的に、添付図面および／または例を参照して本明細書で説明され図示された通りにマウス・ピースを符号化した３Ｄプリンタ可読ファイルを３Ｄ印刷することによってマウス・ピースを製造するシステム。
【国際調査報告】
2020531960.tif 000024
2020531960.tif 000025
2020531960.tif 000026